(57)【要約】【課題】狭隘な場所に位置しているネジ部材の締め付けを容易に行うことができ、また、手に持ってネジ部材の締め付けを行う作業員におけるグリップ性を向上させたレンチ工具を提供する。【解決手段】本発明は、頭部に六角形状の係合溝を有するネジ部材に装着してネジ部材を締め付けるレンチ工具において、長尺の板状に形成された回転操作片の一端側に、ネジ部材における頭部の係合溝に挿入する六角ビットを固定し、この六角ビットの周囲に、ネジ部材における頭部を収容する輪郭ガイド部を設けている。また、回転操作片の他端側に、グリップ孔を設けている。さらに、輪郭ガイド部は、六角ビットの上端部よりも上方に縁部が位置する高さを有している。【選択図】図１
2010167531.tif 000002
【特許請求の範囲】
【請求項１】
頭部に六角形状の係合溝を有するネジ部材に装着してネジ部材を締め付けるレンチ工具において、長尺の板状に形成された回転操作片の一端側に、ネジ部材における頭部の係合溝に挿入する六角ビットを固定し、この六角ビットの周囲に、ネジ部材における頭部を収容する輪郭ガイド部を設けていることを特徴とするレンチ工具。
【請求項２】
頭部に六角形状の係合溝を有するネジ部材に装着してネジ部材を締め付けるレンチ工具において、長尺の板状に形成された回転操作片の一端側に、円形板の周縁から筒部材を立設させて形成した有底の輪郭ガイド部における筒部材の中心に、六角ビットを固定したユニット部材を、着脱可能に取り付けたレンチ工具。
【請求項３】
回転操作片の他端側に、グリップ孔を設けている請求項１または２に記載のレンチ工具。
【請求項４】
頭部に六角形状の係合溝を有するネジ部材に装着してネジ部材を締め付けるレンチ工具において、ネジ部材における頭部の係合溝に挿入する六角ビットと、ネジ部材における頭部を収容する輪郭ガイド部を六角ビットの周囲に有するユニット部材を、ラチェット式レンチの回転軸部に着脱可能に取り付けたレンチ工具。
【請求項５】
輪郭ガイド部は、六角ビットの上端部よりも上方に縁部が位置する高さを有している請求項１または２、請求項４のいずれかに記載のレンチ工具。
【発明の詳細な説明】
【技術分野】
【０００１】
本発明は、頭部に六角形状の係合溝を有するネジ部材に装着してネジ部材を締め付けるレンチ工具において、ネジ部材における頭部の係合溝に挿入する六角ビットと、ネジ部材における頭部を収容する輪郭ガイド部を六角ビットの周囲に有するレンチ工具に関するものである。
【背景技術】
【０００２】
従来において、頭部に六角形状の係合溝を有するネジ部材を、所定の位置において締め付ける場合、ネジ部材の係合溝に、六角レンチの先端部を挿入し、この六角レンチを介して、そのネジ部材の締め付けを行っていた。
【０００３】
六角レンチは、一般的に細長の棒状部材を略Ｌ型に折曲しており、その先端部が、ネジ部材の係合溝に挿入して係合するように形成されている。
【０００４】
この他、従来においては、特許文献１に開示されているように、頭部に係合溝を有する六角孔付きねじの取り付け作業の効率を高めることができる、レンチ工具１００が提案されている。
【０００５】
このレンチ工具１００は、図１０に示すように、第１筒部１０１と第２筒部１０２により構成されている。
【０００６】
また、第１筒部１０１には、レンチ工具１００における軸部が挿入される案内孔１０３が設けられている。
【０００７】
さらに、第２筒部１０２には、ねじ状部材１０４の頭部１０４ａが収容される頭部保持用孔１０５が設けられている。この頭部保持用孔１０５は、ねじ状部材１０４の頭部１０４ａが収容された状態で、第２筒部１０２を重力方向に向けても、ねじ状部材１０４が抜落しない程度の大きさに形成されている。
【０００８】
また、案内孔１０３と頭部保持用孔１０５は、同一軸心上で、互いに連通するように形成されている。
【先行技術文献】
【特許文献】
【０００９】
【特許文献１】特開平８−１４１９２２号公報
【発明の概要】
【発明が解決しようとする課題】
【００１０】
しかしながら、ネジ部材の頭部における係合溝に六角レンチの先端部を挿入し、この六角レンチを介してネジ部材の締め付けを行う場合、細長の棒状部材を略Ｌ型に折曲している従来の六角レンチにおいては、狭隘な場所にこの六角レンチが入り難いことから、狭隘な場所に位置しているネジ部材の締め付けを行うことができない事態が生じていた。
【００１１】
また、障害物の存在によりネジ部材を目視・確認できない状態においては、六角レンチの先端部を、ネジ部材の頭部における係合溝に挿入することが困難であった。
【００１２】
そして、係合溝への挿入を可能にするために、六角レンチを所定の位置で切断し、六角レンチの全体を短くして使用する手法もあるが、六角レンチ自体がＬ型に折曲されているため、六角レンチの全体を極端に短くすることは現実的に困難である。
【００１３】
さらに、六角レンチが、細長の棒状部材により形成されていることから、六角レンチを手に持ってネジ部材の締め付けを行う作業員にとっては、そのグリップ性が劣ることとなり、ネジ部材の締め付け時に力が入り難くなっていた。
【００１４】
また、六角レンチを手に持ってネジ部材の締め付けを行う作業員におけるグリップ性が劣ることから、特に、狭い場所でのネジ部材の締め付け作業において、六角レンチを落とし易くなっていた。
【００１５】
この他、特許文献１に開示されているレンチ工具１００を使用した場合であっても、上記した種々の問題点を何等解消するものではない。
【００１６】
そこで、本発明は、如上のような従来存した諸事情に鑑み創出されたもので、狭隘な場所に位置しているネジ部材の締め付けを容易に行うことができ、また、手に持ってネジ部材の締め付けを行う作業員におけるグリップ性を向上させたレンチ工具を提供することを目的とする。
【課題を解決するための手段】
【００１７】
本発明は、頭部に六角形状の係合溝を有するネジ部材に装着してネジ部材を締め付けるレンチ工具において、長尺の板状に形成された回転操作片の一端側に、ネジ部材における頭部の係合溝に挿入する六角ビットを固定し、この六角ビットの周囲に、ネジ部材における頭部を収容する輪郭ガイド部を設けていることで、同じく上述した課題を解決した。
【００１８】
また、頭部に六角形状の係合溝を有するネジ部材に装着してネジ部材を締め付けるレンチ工具において、長尺の板状に形成された回転操作片の一端側に、円形板の周縁から筒部材を立設させて形成した有底の輪郭ガイド部における筒部材の中心に、六角ビットを固定したユニット部材を、着脱可能に取り付けたことで、同じく上述した課題を解決した。
【００１９】
さらに、回転操作片の他端側に、グリップ孔を設けていることで、同じく上述した課題を解決した。
【００２０】
この他、本発明は、頭部に六角形状の係合溝を有するネジ部材に装着してネジ部材を締め付けるレンチ工具において、ネジ部材における頭部の係合溝に挿入する六角ビットと、ネジ部材における頭部を収容する輪郭ガイド部を六角ビットの周囲に有するユニット部材を、ラチェット式レンチの回転軸部に着脱可能に取り付けたことで、同じく上述した課題を解決した。
【００２１】
また、輪郭ガイド部は、六角ビットの上端部よりも上方に縁部が位置する高さを有していることで、同じく上述した課題を解決した。
【発明の効果】
【００２２】
本発明は、頭部に六角形状の係合溝を有するネジ部材に装着してネジ部材を締め付けるレンチ工具において、長尺の板状に形成された回転操作片の一端側に、ネジ部材における頭部の係合溝に挿入する六角ビットを固定し、この六角ビットの周囲に、ネジ部材における頭部を収容する輪郭ガイド部を設けていることから、狭隘な場所に位置しているネジ部材の締め付けを容易に行うことができる。
【００２３】
すなわち、六角レンチを用いてネジ部材の締め付けを行う従来の手法においては、六角レンチが細長の棒状部材を略Ｌ型に折曲していることから、狭隘な場所においては、六角レンチを進入させることができず、その結果、狭隘な場所に位置しているネジ部材の締め付けを行うことができない事態が生じていた。
【００２４】
これに対し、本発明は、長尺の板状に形成された回転操作片の一端側に、ネジ部材における頭部の係合溝に挿入する六角ビットを固定していることから、狭隘な場所においても、長尺の板状に形成された回転操作片を容易に進入させて、狭隘な場所に位置しているネジ部材の締め付けを簡単に行うことができる。
【００２５】
また、六角ビットの周囲に、ネジ部材における頭部を収容する輪郭ガイド部を設けていることから、障害物の存在によりネジ部材を目視・確認できない状態においても、回転操作片に固定している六角ビットの先端部を、ネジ部材の頭部における係合溝に容易に挿入することができる。
【００２６】
具体的には、回転操作片の輪郭ガイド部を、ネジ部材の頭部に手探りで宛がい、若干押し込む。すると、ネジ部材の頭部の側面に沿って輪郭ガイド部が移動し、輪郭ガイド部により、ネジ部材の頭部全体をすっぽりと覆ったような状態となる。
【００２７】
そして、この輪郭ガイド部は、六角ビットの周囲に配置されていることから、輪郭ガイド部によりネジ部材の頭部全体をすっぽりと覆うことにより、六角ビットの先端部を、ネジ部材の頭部における係合溝に自然に挿入できるのである。
【００２８】
その為、作業員は、ネジ部材の頭部における係合溝を認識する必要がなく、回転操作片の輪郭ガイド部をネジ部材の頭部に宛がって若干押し込むだけで、回転操作片の六角ビットの先端部を、ネジ部材の係合溝に容易に挿入できるのである。
【００２９】
尚、作業員がネジ部材を目視できる状態においても、ネジ部材の頭部における係合溝を意識することなく、回転操作片の輪郭ガイド部をネジ部材の頭部に宛がって若干押し込むだけで、六角ビットの先端部をネジ部材の係合溝に挿入できることから、ネジ部材の締め付け作業を極めて迅速に行うことができる。
【００３０】
さらに、本発明は、長尺の板状に形成された回転操作片において、その一端側に六角ビットと輪郭ガイド部を有しており、作業員は、長尺の板状に形成された回転操作片を手で握ってネジ部材の締め付け作業を行うことから、作業員におけるグリップ性を向上させることができる。
【００３１】
その為、作業員は、回転操作片をしっかりと手で握って、ネジ部材の締め付け作業を確実に行うことができる。また、狭い場所におけるネジ部材の締め付け作業においても、回転操作片が作業員の手から不意に離れて落下するようなこともない。
【００３２】
また、長尺の板状に形成された回転操作片の一端側に、円形板の周縁から筒部材を立設させて形成した有底の輪郭ガイド部における筒部材の中心に、六角ビットを固定したユニット部材を、着脱可能に取り付けたことから、必要に応じてこのユニット部材を簡単に交換できる。
【００３３】
その為、異なるサイズの六角ビットと有底の輪郭ガイド部を有するユニット部材を複数用意しておくことにより、大きさの異なるネジ部材の頭部に合致するユニット部材を回転操作片に適宜取り付けて、ネジ部材の締め付け作業を円滑に行うことができる。
【００３４】
また、回転操作片の他端側に、グリップ孔を設けていることから、作業員がこのグリップ孔に、例えば、中指を入れた状態で回転操作片を手で握り、輪郭ガイド部によりネジ部材の頭部全体をすっぽりと覆って手首を動かすという作業員の楽な動作を繰り返し行うことにより、ネジ部材の締め付け作業を円滑に行うことができる。
【００３５】
この他、本発明は、ネジ部材における頭部の係合溝に挿入する六角ビットと、ネジ部材における頭部を収容する輪郭ガイド部を六角ビットの周囲に有するユニット部材を、ラチェット式レンチの回転軸部に着脱可能に取り付けたことから、輪郭ガイド部によりネジ部材の頭部全体をすっぽりと覆った状態を維持しながら、作業員が手首を動かすという作業員にとって楽な動作により、ネジ部材の締め付け作業を簡単に行うことができる。
【００３６】
また、輪郭ガイド部は、六角ビットの上端部よりも上方に縁部が位置する高さを有していることから、狭隘な場所でネジ部材を目視・確認できない状態においても、回転操作片の輪郭ガイド部をネジ部材の頭部に手探りで宛がい、若干押し込むことにより、六角ビットの先端部を、ネジ部材の頭部における係合溝に自然に挿入することができる。
【００３７】
このように、本発明に係るレンチ工具を使用してネジ部材の締め付け作業を行うことにより、作業員が疲労することなく、作業時間を大幅に短縮して、全体の作業効率を飛躍的に向上できるものとなる。
【図面の簡単な説明】
【００３８】
【図１】頭部に六角形状の係合溝を有するネジ部材に装着して、ネジ部材の締め付けを行うレンチ工具の使用状態を示す概略の分解斜視図である。
【図２】回転操作片の端部に、六角ビットと輪郭ガイド部を固定するレンチ工具の構成を示す分解斜視図である。
【図３】回転操作片の端部に、六角ビットと輪郭ガイド部を固定したレンチ工具の構成を示す斜視図である。
【図４】サイズの異なる複数のユニット部材のいずれかを選択して、回転操作片に好ましいユニット部材を取り付けるレンチ工具の構成を示す分解斜視図である。
【図５】レンチ工具の使用状態を示す斜視図である。
【図６】ラチェット式レンチを利用したレンチ工具の構成を示すもので、（ａ）はユニット部材を、輪郭ガイド部とビット本体により形成しているレンチ工具の分解斜視図、（ｂ）はそのユニット部材を取り付けたレンチ工具の斜視図である。
【図７】ラチェット式レンチを利用したレンチ工具の構成を示すもので、（ａ）はユニット部材を、回転操作伝達部の端部に輪郭ガイド部と六角ビットを取り付けて形成しているレンチ工具の分解斜視図、（ｂ）はそのユニット部材をレンチ工具の長手方向に沿って取り付けたレンチ工具の斜視図である。
【図８】ラチェット式レンチの長手方向に直交するように、回転操作伝達部を固定したレンチ工具の構成を示す斜視図である。
【図９】ラチェット式レンチの長手方向に直交するように、回転操作伝達部を固定したレンチ工具の使用状態を示す斜視図である。
【図１０】従来のレンチ工具の構成例を示す側面図である。
【発明を実施するための形態】
【００３９】
以下に、本発明を実施するための形態を、図面を参照して詳細に説明する。
【００４０】
本発明に係るレンチ工具は、図１に示すように、頭部Ｔに六角形状の係合溝Ｍを有するネジ部材Ｎに装着して、ネジ部材Ｎの締め付けを行うものである。
【００４１】
レンチ工具は、図２・図３に示すように、長尺の薄板状に形成された回転操作片１を備えている。この回転操作片１の一端側の端部は、略半円状に形成されている。また、図２に示すように、回転操作片１の略半円状部分の中央には、雌ネジ部１ａが設けられている。
【００４２】
回転操作片１の雌ネジ部１ａには、六角形の柱状に形成された六角ビット２が取り付けられている。この六角ビット２は、ネジ部材Ｎの頭部Ｔの係合溝Ｍに挿入されて、係合溝Ｍに係合するものである。
【００４３】
六角ビット２は、図２に示すように、その下端部に、雄ネジ部２ａを突設状に設けている。この六角ビット２の雄ネジ部２ａを回転操作片１の雌ネジ部１ａに捩じ込んで、必要に応じて溶接等で固着することにより、回転操作片１に六角ビット２を固定するのである。
【００４４】
尚、回転操作片１の略半円状部分の中央に所定の孔を設け、その孔に、六角ビット２の下端部に突設状に設けた所定の突起部を挿入して、必要に応じて溶接等で固着することにより、回転操作片１に六角ビット２を固定しても良い。
【００４５】
また、図２・図３に示すように、回転操作片１における六角ビット２の周囲には、輪郭ガイド部３を固定している。この輪郭ガイド部３は、六角ビット２を囲繞するように配置されており、輪郭ガイド部３の中心に六角ビット２が位置している。
【００４６】
輪郭ガイド部３は、ネジ部材Ｎの頭部Ｔを収容できる径を有する筒状に形成されている。また、輪郭ガイド部３は、六角ビット２の上端部よりも、上方に縁部が位置する高さを有している。
【００４７】
この様に、六角ビット２の周囲において、ネジ部材Ｎの頭部Ｔを収容できる径を有し、また、六角ビット２の上端部よりも上方に縁部が位置するような高さを有する輪郭ガイド部３が配置されていることにより、狭隘な場所でネジ部材Ｎを目視・確認できない状態においても、回転操作片1の輪郭ガイド部３をネジ部材Ｎの頭部Ｔに手探りで宛がい、若干押し込むことにより、六角ビット2の先端部を、ネジ部材Ｎの頭部Ｔにおける係合溝Ｍに自然に挿入できるのである。
【００４８】
さらに、回転操作片１の他端側には、例えば、円形状等のグリップ孔４を設けている。このグリップ孔４には、図５に示すように、例えば、作業員が中指を入れた状態で、回転操作片１を手で握り易くするものである。
【００４９】
また、図４に示すように、複数の異なるサイズの六角ビット２と有底の輪郭ガイド部３ｃがそれぞれ一体となって複数のユニット部材Ｕを構成し、大きさの異なるネジ部材Ｎの頭部Ｔとその係合溝Ｍに対応できるように、複数のユニット部材Ｕのいずれかを選択して、回転操作片１の一端側の片面に好ましいサイズのユニット部材Ｕを取り付けるようにしても良い。
【００５０】
このユニット部材Ｕは、図４に示すように、円形板３ａの周縁から筒部材３bを立設させて形成した有底の輪郭ガイド部３ｃの円形板３ａに、六角ビット２を固定している。
【００５１】
具体的には、有底の輪郭ガイド部３ｃの円形板３ａの中央に、所定の雌ネジ部が設けられている。そして、この雌ネジ部に、六角ビット２の下端に突設状に設けた雄ネジ部２ａを捩じ込んで、有底の輪郭ガイド部３ｃの円形板３ａから六角ビット２の雄ネジ部２ａが突出した状態で、有底の輪郭ガイド部３ｃの円形板３ａに六角ビット２が固定されている。
【００５２】
次に、以上のように構成されたレンチ工具について、使用の一例を説明する。
【００５３】
例えば、障害物の存在により目視・確認できない位置にネジ部材Ｎが取り付けられている場合、回転操作片１を手で握って、回転操作片１を所定の位置に進入させる。
【００５４】
そして、図５に示すように、ネジ部材Ｎの頭部Ｔに輪郭ガイド部３を手探りで宛がい、若干押し込むようにするだけで、ネジ部材Ｎの頭部Ｔの側面に沿って輪郭ガイド３部が移動し、輪郭ガイド部３内の六角ビット２が、ネジ部材Ｎの頭部Ｔにおける係合溝Ｍに自然に挿入される。
【００５５】
この状態で、作業員が手首を動かしてネジ部材Ｎを回転させ、ネジ部材Ｎの頭部Ｔから輪郭ガイド部３を一旦外して、再度、ネジ部材Ｎの頭部Ｔに輪郭ガイド部３を宛がって手首を動かす動作を繰り返し行うことにより、ネジ部材Ｎの締め付けを行う。
【００５６】
また、異なるサイズの六角ビット２と有底の輪郭ガイド部３ｃを有するユニット部材Ｕを複数用意しているときは、大きさの異なるネジ部材Ｎの頭部Ｔに合致するユニット部材Ｕを回転操作片１に適宜取り付けて、ネジ部材Ｎの締め付けを行う。
【００５７】
この他、図6乃至図９には、ラチェット式レンチＰを利用したレンチ工具の構成例が示されている。
【００５８】
このレンチ工具は、ネジ部材Ｎにおける頭部Ｔの係合溝Ｍに挿入する六角ビット2と、ネジ部材Ｎにおける頭部Ｔを収容する輪郭ガイド部３を六角ビット２の周囲に有するユニット部材Ｕを、ラチェット式レンチＰの回転軸部１２に着脱可能に取り付けている。このラチェット式レンチＰの回転軸部１２は、一方向ピッチに回転可能となるように形成されている。
【００５９】
ラチェット式レンチＰの回転軸部１２に取り付けるユニット部材Ｕは、図６（ａ）に示すように、輪郭ガイド部３と、六角ビット２を有するビット本体１４により構成されている。
【００６０】
輪郭ガイド部３は、有底の円筒体によって形成され、底部の中央には、ビット本体１４が有している六角ビット２を挿入するための六角孔部１５が設けられている。
【００６１】
また、ビット本体１４は、円柱状に形成した基部１１の下端面に、ラチェット式レンチＰの回転軸部１２を挿入する角穴状の挿着部１３が設けられている。さらに、基部１１の上端面には、ネジ部材Ｎにおける頭部Ｔの係合溝Ｍに挿入して係合させる六角ビット２を突設状に設けている。
【００６２】
そして、図６（ｂ）に示すように、ラチェット式レンチＰの回転軸部１２を、ビット本体１４の基部１１に設けている挿着部１３に挿入して、ラチェット式レンチＰの回転軸部１２にビット本体１４を取り付ける。また、ビット本体１４の六角ビット２を、輪郭ガイド部３の底部の六角孔部１５に挿入して、輪郭ガイド部３の内部に六角ビット２を配置した状態で、ビット本体１４に輪郭ガイド部３を固定するのである。
【００６３】
また、図７乃至図９に示すように、ユニット部材Ｕを、回転操作伝達部２１の端部に、輪郭ガイド部３と六角ビット２を取り付けて構成しても良い。
【００６４】
回転操作伝達部２１は、図７（ａ）に示すように、所定の長さを有する矩形の薄板状に形成されており、回転操作伝達部２１の基端部には、角穴部２２が設けられている。この角穴部２２は、ラチェット式レンチＰの回転軸部１２を挿入する部分である。
【００６５】
また、回転操作伝達部２１の先端部は、略半円状に形成されている。この回転操作伝達部２１の略半円状部分には、六角ビット２と輪郭ガイド部３が固定されている。
【００６６】
そして、図７（ｂ）に示すように、ラチェット式レンチＰの回転軸部１２を、回転操作伝達部２１の角穴部２２を挿入して、ラチェット式レンチＰの回転軸部１２に回転操作伝達部２１を取り付ける。
【００６７】
尚、図７（ｂ）に示すレンチ工具は、ラチェット式レンチＰの長手方向に沿うように回転操作伝達部２１を固定しているが、必要に応じて、図８に示すように、ラチェット式レンチＰの長手方向に直交するように回転操作伝達部２１を固定しても良い。
【００６８】
ラチェット式レンチＰの長手方向に直交するように回転操作伝達部２１を固定しているレンチ工具の使用する際には、例えば、図９に示すように、ボルト等の種々の障害物が存在する場合に、ラチェット式レンチＰを手で握って、ボルト等の障害物の近くにラチェット式レンチＰの先端部を進入させる。
【００６９】
そして、図９に示すように、回転操作伝達部２１を介して、ボルト等の障害物を避けながら、ネジ部材Ｎの頭部Ｔに輪郭ガイド部３を宛がい、若干押し込んで、ネジ部材Ｎの頭部Ｔの係合溝Ｍに輪郭ガイド部３内の六角ビット２を挿入して係合させる。
【００７０】
この状態で、作業員が手首を連続的に動かして、ネジ部材Ｎの締め付けを行うのである。
【産業上の利用可能性】
【００７１】
本発明に係るレンチ工具は、ネジ部材の頭部に形成されている六角形状の係合溝に挿入してネジ部材の締め付けを行う以外に、例えば、六角ビットを取り外してナットの締め付け工具として使用する等、種々の締め付け工具として、幅広く利用することができる。
【符号の説明】
【００７２】
１００…レンチ工具
１０１…第１筒部
１０１…第２筒部
１０３…案内孔
１０４…ねじ状部材
１０４ａ…頭部
１０５…頭部保持用孔
Ｎ…ネジ部材
Ｔ…頭部
Ｍ…係合溝
Ｕ…ユニット部材
Ｐ…ラチェット式レンチ
１…回転操作片
１ａ…雌ネジ部
２…六角ビット
２ａ…雄ネジ部
３…輪郭ガイド部
４…グリップ孔
３ａ…円形板
３ｂ…筒部材
３ｃ…有底の輪郭ガイド部
１２…回転軸部
１３…挿着部
１４…ビット本体
１５…六角孔部
２１…回転操作伝達部
２２…角穴部
【図１】
2010167531.tif 000003
【図２】
2010167531.tif 000004
【図３】
2010167531.tif 000005
【図４】
2010167531.tif 000006
【図５】
2010167531.tif 000007
【図６】
2010167531.tif 000008
【図７】
2010167531.tif 000009
【図８】
2010167531.tif 000010
【図９】
2010167531.tif 000011
【図１０】
2010167531.tif 000012